(57)【要約】【課題】外観及び断熱性能の選択性が高く、できるだけ部品の共用化を図ってコストを低くしたサッシを提供する。【解決手段】下枠１０は（Ａ）金属下枠１１からなる下枠、（Ｂ）金属下枠１１の室内側に樹脂下枠１２を設けた下枠、からなり、障子４、５は（ａ）金属框体４１からなる障子、（ｂ）金属框体４１の室内側に板状の樹脂框体４２を設けた障子、（ｃ）金属框体４１の室内側に中空状の樹脂框体４２を設けた障子、からなる。各障子は外障子４の戸車と内障子５の戸車との間の寸法がそれぞれ同一で、各下枠１０は室内外レール芯間の寸法が外障子４の戸車と内障子５の戸車との間の寸法と同一とされている。（Ａ）の下枠１０を有する枠体１に（ａ）、（ｂ）の障子４、５のうちの選択された一方の障子を納め、または（Ｂ）の下枠１０を有する枠体１に（ｃ）の障子４、５を納めて構成する。【選択図】図１
2006118141.tif 000002
【特許請求の範囲】
【請求項１】
上下枠及び左右の縦枠を枠組みしてなる枠体に室内外障子を走行自在に納めてなるサッシにおいて、
上記下枠は、
（Ａ）金属材からなり、上面に上記室内外障子をそれぞれ案内する室内外レールを有すると共に、室内側下端部に建物躯体に対する固定部を有する金属下枠から構成される下枠、
（Ｂ）金属材からなり、上面に上記室内外障子をそれぞれ案内する室内外レールを有すると共に、室内側下端部には建物躯体に対する固定部を有する金属下枠と、樹脂材からなり、上記金属下枠の室内レールと室外レールの間を覆う中間樹脂体と、上記金属下枠の室内側面及び上記固定部の室内側面を覆う防露体とからなる樹脂下枠とから構成される下枠、
からなり、
上記障子は、
（ａ）金属框体から構成される障子、
（ｂ）室外側の金属框体と、該金属框体の室内側面を覆い板状に形成される樹脂框体とから構成される障子、
（ｃ）室外側の金属框体と、該金属框体の室内側面を覆い中空部を有して形成される樹脂框体とから構成される障子、
からなり、
上記各障子は外障子の戸車と内障子の戸車との間の寸法がそれぞれ同一とされており、上記各下枠は室内外レール芯間の寸法がそれぞれ同一であると共に、上記各障子の外障子の戸車と内障子の戸車との間の寸法とそれぞれ同一とされており、
上記（Ａ）の下枠を有する枠体に上記（ａ）、（ｂ）の障子のうちの選択された一方の障子を納め、または上記（Ｂ）の下枠を有する枠体に上記（ｃ）の障子を納めて構成されていることを特徴とするサッシ。
【請求項２】
上記（Ａ）の金属下枠と上記（Ｂ）の金属下枠は形状及び寸法が同一であることを特徴とする請求項１記載のサッシ。
【請求項３】
上記各下枠の金属下枠には上記室内レールの室内側に設けられ室内延出部を有した樹脂片が取付けられることを特徴とする請求項１または２記載のサッシ。
【請求項４】
上記各下枠の固定部は上記金属下枠の室内側面から室内側に向かってフィン状に突出してなると共に、ネジまたはビス止めにより建物躯体に固定されることを特徴とする請求項３記載のサッシ。
【請求項５】
上記樹脂下枠を構成する防露体は下端部にフィン状の上記固定部を覆う防露体固定部を有すると共に、該防露体固定部と固定部が重合状態で建物躯体に固定されることを特徴とする請求項４記載のサッシ。
【発明の詳細な説明】
【技術分野】
【０００１】
本発明は建物躯体の開口部に取付けられ引き違い状の障子を納めたサッシに関し、特に外観及び断熱性能を選択できるサッシに関する。
【背景技術】
【０００２】
従来から、建物躯体の開口部に取付けられるサッシは、地域ごとに使い分けがなされている。樹脂材は金属材に比べて断熱性が高いため、樹脂を用いたサッシは断熱性が高く、したがって寒い地域ほど樹脂材を用いたサッシを用いることが省エネルギーの観点から好ましい。そこで、最も寒冷な地域向けには全て樹脂材からなる樹脂サッシが用いられ、温暖な地域向けには全てアルミなどの金属材からなる金属サッシが用いられる。そしてこれらの中間的な気候の地域向けには室外側は金属材からなり室内側は樹脂材からなる複合サッシが用いられる。
【０００３】
このようなサッシの材質については、地域ごとに省エネルギー基準が定められており、この基準を満たすサッシを用いることにより、住宅を建設する際の融資額が増額されるなどの優遇を受けることができる。また、住宅完成後は地域に応じた断熱性により光熱費を節約することができる。中間地域（以下この地域のことを寒冷地域という）において用いられる複合サッシとしては、例えば特許文献１に挙げるようなものがある。
【特許文献１】特許第３５０７０３１号公報
【発明の開示】
【発明が解決しようとする課題】
【０００４】
従来のサッシは、各地域毎に別々の仕様で構成されていた。そのため、金属材からなる部材と樹脂材からなる部材は、それぞれ異なる形状、寸法で形成されていた。
しかし、温暖地域においては、サッシの意匠性を重視するために、室内側を樹脂材から構成する複合サッシを設けたいとのニーズがある一方で、最低限の断熱基準を満たすことを条件にできるだけコストを抑えたいとのニーズもある。
【０００５】
前者の場合には寒冷地域用の複合サッシを採用することもできるが、温暖地域で用いるには断熱性能が過剰であり、コストが大幅に増加する。また、後者のニーズもあるために金属材のみからなる金属サッシも製造する必要があって、これらがそれぞれ別々の仕様であることから、製造コストが高くなっていた。
【０００６】
本発明は、上記課題を解決すべくなされたものであり、外観及び断熱性能の選択性が高く、できるだけ部品の共用化を図ってコストを低くしたサッシを提供することを目的とする。
【課題を解決するための手段】
【０００７】
上記課題を解決するため、本発明に係るサッシは、上下枠及び左右の縦枠を枠組みしてなる枠体に室内外障子を走行自在に納めてなるサッシにおいて、
上記下枠は、
（Ａ）金属材からなり、上面に上記室内外障子をそれぞれ案内する室内外レールを有すると共に、室内側下端部に建物躯体に対する固定部を有する金属下枠から構成される下枠、
（Ｂ）金属材からなり、上面に上記室内外障子をそれぞれ案内する室内外レールを有すると共に、室内側下端部には建物躯体に対する固定部を有する金属下枠と、樹脂材からなり、上記金属下枠の室内レールと室外レールの間を覆う中間樹脂体と、上記金属下枠の室内側面及び上記固定部の室内側面を覆う防露体とからなる樹脂下枠とから構成される下枠、
からなり、
上記障子は、
（ａ）金属框体から構成される障子、
（ｂ）室外側の金属框体と、該金属框体の室内側面を覆い板状に形成される樹脂框体とから構成される障子、
（ｃ）室外側の金属框体と、該金属框体の室内側面を覆い中空部を有して形成される樹脂框体とから構成される障子、
からなり、
上記各障子は外障子の戸車と内障子の戸車との間の寸法がそれぞれ同一とされており、上記各下枠は室内外レール芯間の寸法がそれぞれ同一であると共に、上記各障子の外障子の戸車と内障子の戸車との間の寸法とそれぞれ同一とされており、
上記（Ａ）の下枠を有する枠体に上記（ａ）、（ｂ）の障子のうちの選択された一方の障子を納め、または上記（Ｂ）の下枠を有する枠体に上記（ｃ）の障子を納めて構成されていることを特徴として構成されている。
【０００８】
また、本発明に係るサッシは、上記（Ａ）の金属下枠と上記（Ｂ）の金属下枠は形状及び寸法が同一であることを特徴として構成されている。
【０００９】
さらに、本発明に係るサッシは、上記各下枠の金属下枠には上記室内レールの室内側に設けられ室内延出部を有した樹脂片が取付けられることを特徴として構成されている。
【００１０】
さらにまた、本発明に係るサッシは、上記各下枠の固定部は上記金属下枠の室内側面から室内側に向かってフィン状に突出してなると共に、ネジまたはビス止めにより建物躯体に固定されることを特徴として構成されている。
【００１１】
そして、本発明に係るサッシは、上記樹脂下枠を構成する防露体は下端部にフィン状の上記固定部を覆う防露体固定部を有すると共に、該防露体固定部と固定部が重合状態で建物躯体に固定されることを特徴として構成されている。
【発明の効果】
【００１２】
本発明に係るサッシによれば、断熱性及び外観を地域に応じて選択し構成することができ、特に、温暖地域向けにおいて断熱性能と外観のバランスの取れたサッシまたはできるだけ低コスト化したサッシのいずれかを選択して提供することができる。また、部品の共用化を図ることができるので、低コスト化することができる。
【００１３】
また、本発明に係るサッシによれば、（Ａ）の金属下枠と（Ｂ）の金属下枠は形状及び寸法が同一であることにより、部品を共用化し低コスト化を図ることができる。
【００１４】
さらに、本発明に係るサッシによれば、下枠の金属下枠には室内レールの室内側に設けられ室内延出部を有した樹脂片が取付けられることにより、枠体及び障子の構成によらず室内側には樹脂片を設けることになり、サッシの外観を良好にすることができる。
【００１５】
さらにまた、本発明に係るサッシによれば、各下枠の固定部は金属下枠の室内側面から室内側にフィン状に突出してなると共に、ネジまたはビス止めにより建物躯体に固定されることにより、室内延出部を有した樹脂片を外しておくことで容易に固定部の着脱を行うことができる。
【００１６】
そして、本発明に係るサッシによれば、樹脂下枠を構成する防露体は下端部にフィン状の固定部を覆う防露体固定部を有すると共に、防露体固定部と固定部が重合状態で建物躯体に固定されることにより、防露体と金属下枠をネジまたはビス止めにより一体的かつ容易に建物躯体に固定することができる。
【発明を実施するための最良の形態】
【００１７】
本発明の実施形態について図面に沿って詳細に説明する。図１は本実施形態における枠体及び障子の組み合わせを示した図である。本実施形態におけるサッシの基本構成は、建物開口部に取付けられる枠体１内に、外障子４と内障子５を引き違い状に納め、さらにその室外側には網戸６を納めてなるものである。枠体１は、下枠１０と上枠２０及び左右の縦枠３０、３０を方形状に枠組みして構成されるものであり、また外障子４と内障子５は、下框４０と上框５０及び左右の縦框６０、６０を方形状に框組みして框体２を構成し、その内部にガラス体３を納めてなるものである。
【００１８】
図１の左側は、２種類の枠体１の下枠１０を示している。また、図１の右側は、３種類の外障子４と内障子５を示している。図１（Ａ）に示す下枠１０は、金属材からなる金属枠である。ただし、室内側端部にのみ樹脂片を設けている。図１（Ｂ）に示す下枠１０は、金属材の室内露出面に樹脂材を配設した複合枠である。したがって、図１（Ａ）に示す下枠１０を有する枠体１は、低コストであるが断熱性能は低く、図１（Ｂ）に示す下枠１０を有する枠体１は、高コストであるが断熱性能は高い。このため、図１（Ａ）の枠体１は、温暖地域向けのサッシに用いることができ、図１（Ｂ）の枠体１は、寒冷地域向けのサッシに用いることができる。
【００１９】
図１（ａ）に示す外障子４と内障子５は、金属材からなる框体２に複層ガラスからなるガラス体３を納めて構成されたものである。図１（ｂ）に示す外障子４と内障子５は、金属材の室内露出面に板状の樹脂材を配設してなる框体２に、複層ガラスからなるガラス体３を納めて構成されたものである。図１（ｃ）に示す外障子４と内障子５は、金属材の室内露出面に断面中空状の樹脂材を配設してなる框体２に、複層ガラスからなるガラス体３を納めて構成されたものである。したがって、図１（ａ）に示す枠体１は断熱性能が低く、図１（ｃ）に示す枠体１は断熱性能が高い。図１（ｂ）に示す枠体１は中間的な断熱性能を有している。
【００２０】
ここで、それぞれの外障子４と内障子５は、各障子の下端部に設けられる戸車４３、４３の間の寸法が、相互に同一である。また、それぞれの枠体１は、その下枠１０上面に形成される外レール１１ａと内レール１１ｂのレール芯間の寸法が、相互に同一であり、かつ上記各障子の戸車４３、４３の間の寸法と同一である。したがって、各障子はいずれの枠体１にも納めることができるようにされている。
【００２１】
図１（Ａ）の枠体１には図１（ａ）の外障子４と内障子５または図１（ｂ）の外障子４と内障子５が選択的に納められる。また、図１（Ｂ）の枠体１には図１（ｃ）の外障子４と内障子５が納められる。サッシを設置する地域に応じて図１（Ａ）の枠体１または図１（Ｂ）の枠体１を選択し、図１（Ａ）を選択した場合にはさらに、外障子４と内障子５を選択することで外観を選択し、これにより全３パターンのサッシを構成することができる。
【００２２】
これら３パターンのサッシについて、それぞれ詳細に説明する。図２には、温暖地域向けであって金属材からなるサッシの縦断面図を、図３にはその横断面図を示す。図２と図３に示すサッシは、図１（Ａ）の枠体１を選択し、それに図１（ａ）の外障子４と内障子５を選択して納めてなるものである。
【００２３】
枠体１は、金属材からなる金属下枠１１と金属上枠２１及び左右の金属縦枠３１、３１を方形状に枠組みしてなり、それが建物開口部に対して固定されている。枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００２４】
金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。また、金属上枠２１の下面には、その長手方向略全長に渡って外レール２１ａと内レール２１ｂ及び網戸レール２１ｃが形成されている。これらは金属下枠１１の各レールと対応した位置に形成されており、それぞれ外障子４と内障子５及び網戸６をサッシの長手方向に案内する。
【００２５】
金属縦枠３１の内周面には、外障子４を閉じた状態でその側面と対向する位置に外突出部３１ａが長手方向略全長に渡って設けられる。また、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００２６】
枠体１の室内側端部には、四周に渡って樹脂片が設けられている。金属下枠１１の室内側端部には、樹脂片１３が設けられる。この樹脂片１３は、内レール１１ｂと金属下枠１１の室内面との間に形成される凹部内に納められ、さらに金属下枠１１の室内面よりも室内側に向かって延出する室内延出部１３ａを有してなるものである。
【００２７】
金属上枠２１の室内側端部に設けられる樹脂片２３も、同様に内レール２１ｂと金属上枠２１の室内面との間に形成される凹部内に納められ、さらに金属上枠２１の室内面よりも室内側に向かって延出する室内延出部２３ａを有してなる。また、金属縦枠３１の室内側端部に設けられる樹脂片３３は、内障子５が閉じた状態でそれと対向する側の金属縦枠３１に対しては、内突出部３１ｂよりも室内側に設けられ、さらに室内側に向かって延出する室内延出部３３ａを有してなる。外障子４が閉じた状態でそれと対向する側の金属縦枠３１に対しても、同形状の樹脂片３３が設けられる。
【００２８】
このサッシでは、枠体１の内周面の一部は金属材が室内側に露出した状態となることから、断熱性については十分に確保されないものの、樹脂片が枠体１の四周に渡って設けられることで、金属材から構成された枠体１であっても、室内側から見た外観を良好にすることができる。
【００２９】
このサッシにおいて框体２は、金属材からなる金属下框４１と金属上框５１及び左右の金属縦框６１、６１を方形状に框組みし、内部に複層ガラスからなるガラス体３をグレチャン７を介し納めて構成される。金属下框４１の下端部には戸車４３が設けられ、外レール１１ａまたは内レール１１ｂに載置されることで、障子を下枠１０のレール上で走行自在とする。
【００３０】
温暖地域向けであって金属材からなるサッシについては、以上のような構成からなるものである。基本的には金属材のみからなり、框体２に納められるガラス体３には複層ガラスを採用することにより、温暖地域向けの断熱基準を満たしつつ、できるだけコストを抑えたサッシとすることができる。
【００３１】
次に、温暖地域向けであっても、室内側に樹脂材を配設して意匠性の向上を図ったサッシについて説明する。図４には、この場合のサッシの縦断面図を、図５にはその横断面図を示す。これら各図のサッシは、図１（Ａ）の枠体１を選択し、それに図１（ｂ）の外障子４と内障子５を選択し納めてなるものである。
【００３２】
この場合、枠体１は図１（Ａ）を選択しているから、上述した温暖地域向けであって金属材からなるサッシの枠体１と基本的には共通している。ただし、図５に示すように外障子４が配置される側の金属縦枠３１に取付けられる樹脂片３３は、金属材ができるだけ室内側に露出しないように、内障子５が配置される側の金属縦枠３１に取付けられる樹脂片３３よりも室外側に延長した延長部３３ｂを有して構成される。延長部３３ｂは、外障子４を閉じた状態におけるその室内面の近傍位置まで延長されている。枠体１のこれ以外の構成については、図２及び図３で説明したサッシと共通である。
【００３３】
次に、外障子４と内障子５について説明する。これらを構成する框体２は、室外側に金属材を配し、室内側に樹脂材を配した複合材からなるものである。複合材は通常、室内側から見たサッシの意匠性の向上と、断熱性を向上させるために用いられる。しかし、温暖地域向けの断熱基準は、上述のように複層ガラスを用いればよく、通常の複合材を用いた場合には、断熱性能が過剰となってコストが高くなる。したがって、温暖地域向けのサッシに用いる複合材は、室内側から見た意匠性を向上させる機能さえ有していればよい。このため、この場合の框体２に設けられる樹脂材は、板状に形成されている。
【００３４】
下框４０は、室外側の金属下框４１と、その室内面に取付けられる板状の樹脂下框４２とから構成されている。樹脂下框４２は、金属下框４１に係合し固定される。下框４０の上部は、グレチャン７を挟持しガラス体３を納めることができるように、凹形状とされており、その室外側は金属下框４１、室内側は樹脂下框４２により構成されている。すなわち、ガラス体３の室外面は金属下框４１により支持され、室内面は樹脂下框４２により支持されている。また、下框４０の下端部には、戸車４３が設けられて、外障子４は外レール１１ａに、内障子５は内レール１１ｂに、それぞれ載置される。
【００３５】
上框５０は、室外側の金属上框５１と、その室内面に取付けられる板状の樹脂上框５２とから構成されている。樹脂上框５２は、金属上框５１に係合し固定される。上框５０においても、それに納められるガラス体３は、室外面を金属上框５１により、室内面を樹脂上框５２により、それぞれ支持される。
【００３６】
縦框６０は、枠側縦框６０ａと召合せ框６０ｂとで形状が異なる。枠側縦框６０ａは、左右いずれも室外側の金属縦框６１と、その室内面に取付けられる板状の樹脂縦框６２とから構成されている。召合せ框６０ｂは、外障子４側は金属材からなる召合せ金属框６３のみから構成され、内障子５側は召合せ金属框６３と、その室内露出面に取付けられる板状の召合せ樹脂框６４とから構成される。召合せ金属框６３、６３は、互いに対向する面にそれぞれ煙返し部６３ａ、６３ａを有し、それらが互い違いとなってサッシの気密性を確保している。
【００３７】
また、内障子５の召合せ金属框６３における室内露出面は、その室内面及び側面の二面あるため、召合せ樹脂框６４はそれらの面を覆うように断面略Ｌ字状とされている。また、召合せ樹脂框６４は召合せ金属框６３の室内面及びその背面となる室外面にそれぞれ係合し固定される。そのため、召合せ樹脂框６４の室外端部には略鉛直方向に突出する係合部６４ａが形成されている。
【００３８】
金属縦框６１は、グレチャン７を挟持しガラス体３を納める内周面を凹形状とされており、樹脂縦框６２はその先端に係合してグレチャン７に圧接する。したがって、縦框６０においても、ガラス体３の室外面は金属縦框６１により、室内面は樹脂縦框６２により、それぞれ支持される。これによって、樹脂縦框６２とグレチャン７とが連続状となって、金属縦框６１を室内側に露出させない美観のよいサッシとすることができる。
【００３９】
温暖地域向けであって複合材からなるサッシについては、以上のような構成からなるものである。枠体１については、金属材のみからなるものを用いて低コストに抑えている一方で、室内端部には樹脂片が四周に渡って設けられているので、意匠性がよい。また、その枠体１に納める外障子４と内障子５の框体２には、板状の樹脂材で金属材の室内面を覆った複合材を用いているため、断熱性はそれほど高くないものの室内側から見た場合の意匠性は通常の複合材と差異がなく、コストを抑えつつも意匠性の高いサッシとすることができる。さらに、温暖地域向けであって金属材からなるサッシと枠体１をほぼ共用しているため、部品の共用化を進めてさらなる低コスト化を図ることができる。
【００４０】
次に、寒冷地域向けのサッシについて説明する。図６には、この場合のサッシの縦断面図を、図７にはその横断面図を示す。これら各図のサッシは、図１（Ｂ）の枠体１を選択し、それに図１（ｃ）の外障子４と内障子５を選択し納めてなるものである。
【００４１】
枠体１は、金属材からなる金属下枠１１と金属上枠２１及び左右の金属縦枠３１、３１を方形状に枠組みしてそれが建物躯体に対して固定され、金属下枠１１の室内側には樹脂下枠１２を、金属上枠２１の室内側には樹脂上枠２２を、金属縦枠３１の室内側には樹脂縦枠３２を、それぞれ配設している。ここで、金属下枠１１及び金属縦枠３１については、前２パターンにおける枠体１の金属下枠１１及び金属縦枠３１と同一であり、部品を共用化している。
【００４２】
下枠１０については、金属下枠１１は上述のとおり全２パターンの金属下枠１１と同一である。また、室内端部に室内延出部１３ａを有した樹脂片１３を設けている点も同様である。樹脂下枠１２は、金属下枠１１の外レール１１ａと内レール１１ｂの間を覆う中間樹脂体１２ａと、金属下枠１１の室内面及び固定部１１ｄの室内面を覆う防露体１２ｂとから構成されている。
【００４３】
中間樹脂体１２ａは、外レール１１ａと内レール１１ｂの間のうち、外障子４と内障子５を閉じた状態で室内側に露出する部分のみに設けられる。すなわち、金属下枠１１の外障子４が配される図７では左半分の領域に中間樹脂体１２ａが設けられる。
【００４４】
防露体１２ｂは、上端部が樹脂片１３に当接しており、また下端部は固定部１１ｄの端部に係合固定されている。また、防露体１２ｂは金属下枠１１の長手方向略全長に渡って設けられる。このようにして防露体１２ｂは金属下枠１１の室内面における結露を防止し、サッシの断熱性を高めている。
【００４５】
上枠２０については、金属上枠２１をはじめ４つの部材から構成している。最も室外側には、金属上枠２１が設けられる。金属上枠２１には、建物躯体に対する固定部であるフィン８が形成され、また室外端部に網戸レール２１ｃが形成されると共に、網戸レール１１ｃより室内側に下枠１０の外レール１１ａに対応する外レール２１ａが形成される。
【００４６】
金属上枠２１の室内側には樹脂上枠２２が配設される。樹脂上枠２２は、金属上枠２１の外レール２１ａの下端部に係合して、外レール２１ａの室内側を構成すると共に、金属上枠２１の外レール１１ａより室内側の面を略覆っている。特に、金属上枠２１のフィン８より室内側では、金属上枠２１と樹脂上枠２２は重合状態とされている。
【００４７】
金属上枠２１と樹脂上枠２２の重合部分にさらに重合するように内レール金属材２４が設けられる。内レール金属材２４は、上枠２０の内レール２１ｂを有する断面略Ｔ字状に形成されてなるものである。そして、内レール金属材２４の室内面を覆うように樹脂片２３が設けられる。樹脂片２３は、金属上枠２１と樹脂上枠２２及び内レール金属材２４の重合部分にさらに重合し、また内レール金属材２４の内レール２１ｂを両面とも被覆し、さらに内レール金属材２４の室内側部をも被覆すると共に、室内側に延出する室内延出部２３ａを有してなるものである。
【００４８】
金属上枠２１と樹脂上枠２２、内レール金属材２４及び樹脂片２３の重合部分は、ネジ止めによりこれら４部材が固定される。また、内レール２１ｂより室内側において、内レール金属材２４と樹脂片２３とが重合状態で建物躯体に対し固定される。上枠２２はこれら４部材から構成されることで、金属材により外レール２１ａと内レール２１ｂの強度を確保しつつ、室内面を樹脂材で被覆できるので、サッシの断熱性及び意匠性を向上させることができる。
【００４９】
縦枠３０については、金属縦枠３１は上述のとおり全２パターンの金属縦枠３１と同一である。また、室内端部に室内延出部３３ａを有した樹脂片３３を設けている点も同様である。この樹脂片３３は、温暖地域において複合材を用いたサッシにおける樹脂片３３と同一のものである。そして、この樹脂片３３が樹脂縦枠３２に相当する。
【００５０】
次に、外障子４と内障子５について説明する。これらを構成する框体２は、室外側に金属材を配し、室内側に樹脂材を配した複合材からなるものである。この場合の樹脂下框４２と樹脂上框５２は、それぞれ内部に中空部を有するように形成されたもので、断熱性に優れたものである。また、枠側縦框６０ａの樹脂縦框６２も断面中空状に形成される。内障子５における召合せ框６０ｂの樹脂縦框６２はその内面側に立ち上がり片を有し、召合せ金属框６３との間に空間部を生じるようにしているので、これも他の樹脂縦框６２と同様の断熱性能を有している。
【００５１】
ガラス体３が室外面は金属材により、室内面は樹脂材により、それぞれ挟持されている点は、温暖地域向けであって障子に複合材を用いた図４、図５記載のサッシと同様である。また、金属下枠１１は前２パターンのサッシと同一のものを用いているので、外障子４と内障子５の戸車４３、４３間の寸法は、前２パターンのサッシと同じである。このサッシの框体２では、中空部を有する樹脂材、すなわち厚みの大きい樹脂材を用いていることにより、金属材の部分は厚みを小さく形成することで、戸車４３、４３間の寸法を前２パターンのサッシと合わせている。
【００５２】
寒冷地域向けのサッシについては、以上のような構成からなるものである。枠体１と框体２のいずれについても、金属材の室内側に樹脂材を配設した複合材を用いているので、断熱性が高く、また室内側から見た意匠性もよい。特に、枠体１に樹脂材を設け、また框体２に中空部を有した樹脂材を配設しているので、寒冷地域における断熱基準を満たしたサッシとすることができる。その一方で、金属下枠１１や金属縦枠３１は前２パターンのサッシに用いたものと同一であるため、部品を共用化し低コスト化を図ることができる。
【００５３】
以上、本発明の実施形態について説明したが、本発明の適用はこの実施形態には限られず、その技術的思想の範囲内であれば様々に適用されうる。
【図面の簡単な説明】
【００５４】
【図１】本実施形態における枠体及び障子の組み合わせを示した図である。
【図２】温暖地域向けであって金属材からなるサッシの縦断面図である。
【図３】図２のサッシの横断面図である。
【図４】温暖地域向けであって複合材を用いたサッシの縦断面図である。
【図５】図４のサッシの横断面図である。
【図６】寒冷地域向けに構成したサッシの縦断面図である。
【図７】図６のサッシの横断面図である。
【符号の説明】
【００５５】
１    枠体
２    框体
３    ガラス体
４    外障子
５    内障子
７    グレチャン
１０    下枠
１１    金属下枠
１１ａ  外レール
１１ｂ  内レール
１１ｄ  固定部
１２    樹脂下枠
１２ａ  中間樹脂体
１２ｂ  防露体
１３    樹脂片
１３ａ  室内延出部
２０    上枠
３０    縦枠
４０    下框
４１    金属下框
４２    樹脂下框
４３    戸車
５０    上框
６０    縦框
【図１】
2006118141.tif 000003
【図２】
2006118141.tif 000004
【図３】
2006118141.tif 000005
【図４】
2006118141.tif 000006
【図５】
2006118141.tif 000007
【図６】
2006118141.tif 000008
【図７】
2006118141.tif 000009